(57)【要約】【課題】室外面材とガラスユニットとを確実に接着可能なドアを提供すること。【解決手段】パネル枠体５０の室外枠部６０に、室外内当接面９０および室外外当接面９２と、これらの間に設けられた室外凹部９４と、を設けている。このため、室外内当接面９０および室外外当接面９２による２箇所の当接により、室外面材２６と室外枠部６０との見込み方向の位置決めをしつつ、室外凹部９４に設けられた両面テープ９６により、室外面材２６と、室外枠部６０とを接着することができる。したがって、両面テープ９６のつぶし代を一定にすることができ、室外面材２６とガラスユニット４０とを確実に接着できる。【選択図】図５
2009144389.tif 000002
【特許請求の範囲】
【請求項１】
室内面材開口部を有する室内面材と、室外面材開口部を有する室外面材と、前記室内面材および前記室外面材の間に設けられる中間体と、前記室内面材開口部および前記室外面材開口部により構成され室内側および室外側を貫通する扉開口に設けられたパネルユニットと、を有して構成された扉体を備え、
前記パネルユニットは、パネル枠体と、このパネル枠体の内部に支持されたパネルと、を有し、
前記パネル枠体は、その少なくとも室外側の面に、前記室外面材の内面に当接する一対の当接部と、この一対の当接部の間においてこれらの当接部よりも凹んだ凹部とが形成され、前記凹部に設けられた接着部材を介して前記室外面材の内面に接着されているドア。
【請求項２】
前記一対の当接部および前記凹部は、前記パネル枠体の全周にわたって連続的に形成されている請求項１に記載のドア。
【請求項３】
前記パネル枠体は、一対のパネル縦部材と、一対のパネル横部材とにより四角枠状に形成され、
前記パネル縦部材および前記パネル横部材のうち一方における見付け方向内側に位置する第１の前記当接部の長手方向の寸法は、前記凹部および見付け方向外側に位置する第２の前記当接部の長手方向の寸法よりも短く形成され、他方における前記凹部および前記第１の当接部の長手方向の寸法は、前記第２の当接部の長手方向の寸法よりも短く形成されている請求項２に記載のドア。
【請求項４】
前記室外面材開口部には、室内側に延出する延出部が形成され、
前記パネル枠体は、見付け方向内側端縁が前記延出部に当接することにより前記室外面材に対して位置決めされている請求項１から請求項３のいずれかに記載のドア。
【請求項５】
前記延出部は、前記室外面材開口部が室内側に折り曲げられた折曲部と、この折曲部を被覆するとともに前記パネルの表面に当接または近接する被覆部材と、を備え、
前記凹部における前記接着部材が設けられる部分と反対側と前記パネルとの間には、止水材が設けられている請求項４に記載のドア。
【請求項６】
前記パネル枠体は、前記一対の当接部および前記凹部を有する室外枠部と、前記室外枠部に取り付けられる室内枠部と、前記室外枠部に前記室内枠部を室内側から着脱自在に固着する固着部材と、を備え、
前記パネルは、前記室外枠部と前記室内枠部とで狭持されている請求項１から請求項５のいずれかに記載のドア。
【発明の詳細な説明】
【技術分野】
【０００１】
本発明は、パネルユニットを有する扉体を備えたドアに関する。
【背景技術】
【０００２】
従来、ドアとして、その一部にガラスなどのパネルが設けられた構成が知られている（例えば、特許文献１参照）。
この特許文献１のドアは、一側小窓フレームと他側小窓フレームとからなる小窓フレームを備えている。一側・他側小窓フレームは、上フレーム、下フレーム、縦フレームを方形状に枠組みしてある。また、各フレームは、内横板と縦板と外横板とで断面略コ字状となっている。そして、表面板の平面部分が各フレームの縦板の平面部分に両面接着テープで接着されている。
【０００３】
【特許文献１】実公平７−２８３９０号公報
【発明の開示】
【発明が解決しようとする課題】
【０００４】
しかしながら、特許文献１に記載されたドアでは、縦板および表面板の平面部分に両面粘着テープを貼り付けるとともに、この両面粘着テープをつぶして接着しているが、全ての箇所で均一につぶすことは困難であるため、表面板の平面精度により両面粘着テープのつぶし代にむらが出てしまい、両者を確実に接着できないおそれがある。
【０００５】
本発明の目的は、室外面材とパネルユニットとを確実に接着可能なドアを提供することにある。
【課題を解決するための手段】
【０００６】
本発明のドアは、室内面材開口部を有する室内面材と、室外面材開口部を有する室外面材と、前記室内面材および前記室外面材の間に設けられる中間体と、前記室内面材開口部および前記室外面材開口部により構成され室内側および室外側を貫通する扉開口に設けられたパネルユニットと、を有して構成された扉体を備え、前記パネルユニットは、パネル枠体と、このパネル枠体の内部に支持されたパネルと、を有し、前記パネル枠体は、その少なくとも室外側の面に、前記室外面材の内面に当接する一対の当接部と、この一対の当接部の間においてこれらの当接部よりも凹んだ凹部とが形成され、前記凹部に設けられた接着部材を介して前記室外面材の内面に接着されていることを特徴とする。
【０００７】
以上の本発明によれば、一対の当接部による２箇所の当接により室外面材とパネル枠体との見込み方向の位置決めをしつつ、この一対の当接部の間に設けられた接着部材を介して室外面材とパネル枠体とを接着することができる。したがって、室外面材が一対の当接部に当接するまでプレスすることで、接着部材のつぶし代を一定にすることができ、室外面材と、パネルユニットとを確実に接着できる。さらに、室外側から室外面材をパネル枠体に固着する構成を利用する必要がなく、室外側からの見た目をすっきりさせることができる。
【０００８】
また、本発明のドアでは、前記一対の当接部および前記凹部は、前記パネル枠体の全周にわたって連続的に形成されている構成が好ましい。
このような構成によれば、パネル枠体の全周にわたって室外面材を確実に接着でき、室外面材とパネルユニットとをより強固に接着できる。また、接着部材を全周にわたって連続させることができるため、気密性や止水性を向上させることができる。ここで、パネル枠体の形状としては、円環状、四角枠状や三角枠状などの多角枠状が例示できる。そして、これら各形状のパネル枠体は、一体成形で当接部と凹部とを形成してもよいし、別体で成形した枠材を接合することで当接部と凹部とを形成してもよい。別体の枠材を接合する場合、交差角度の半分で切断した部材、例えば交差角度が直角の場合には端部を４５°で切断した部材を接合する等、任意の形状の枠体を利用できる。
【０００９】
さらに、本発明のドアでは、前記パネル枠体は、一対のパネル縦部材と、一対のパネル横部材とにより四角枠状に形成され、
前記パネル縦部材および前記パネル横部材のうち一方における見付け方向内側に位置する第１の前記当接部の長手方向の寸法は、前記凹部および見付け方向外側に位置する第２の前記当接部の長手方向の寸法よりも短く形成され、他方における前記凹部および前記第１の当接部の長手方向の寸法は、前記第２の当接部の長手方向の寸法よりも短く形成されている構成が好ましい。
このような構成によれば、パネル縦部材とパネル横部材とを枠組みするだけの簡単な方法で、パネル枠体の全周にわたって一対の当接部および凹部を設けることができる。したがって、室外面材とパネルユニットとを強固に接着できるドアを容易に製造することができる。なお、長手方向とは、パネル縦部材の長手方向（上下方向）やパネル横部材の長手方向（左右方向）のことである。
【００１０】
また、本発明のドアでは、前記室外面材開口部には、室内側に延出する延出部が形成され、前記パネル枠体は、見付け方向内側端縁が前記延出部に当接することにより前記室外面材に対して位置決めされている構成が好ましい。
このような構成によれば、延出部とパネル枠体とを当接させることで、パネル枠体を支持する機能のみを有する別部材を設けることなく、パネル枠体の見付け方向の位置決めをできる。また、パネル枠体の自重による接着性能の低下を防止できるとともに、パネル枠体の落下を防止できる。さらに、火災時に延出部でパネル枠体が支持されるのでパネル枠体が落下することがなく、十分な防火性能を確保できる。
【００１１】
さらに、本発明のドアでは、前記延出部は、前記室外面材開口部が室内側に折り曲げられた折曲部と、この折曲部を被覆するとともに前記パネルの表面に当接または近接する被覆部材と、を備え、前記凹部における前記接着部材が設けられる部分と反対側と前記パネルとの間には、止水材が設けられている構成が好ましい。
このような構成によれば、室外面材開口部を折り曲げるだけの簡単な方法で、延出部の基礎となる折曲部を設けることができる。さらに、折曲部を被覆する被覆部材をパネルに当接させればパネルの傷付きを防止できるとともに、この被覆部材を一次的な止水材として機能させることができる。
【００１２】
また、本発明のドアでは、前記パネル枠体は、前記一対の当接部および前記凹部を有する室外枠部と、前記室外枠部に取り付けられる室内枠部と、前記室外枠部に前記室内枠部を室内側から着脱自在に固着する固着部材と、を備え、前記パネルは、前記室外枠部と前記室内枠部とで狭持されている構成が好ましい。
このような構成によれば、室内枠部を必要に応じて取り外すことにより、パネルを容易に交換できる。
【発明を実施するための最良の形態】
【００１３】
［第１実施形態］
まず、本発明の第１実施形態を図面に基づいて説明する。
図１は、本発明の第１実施形態に係るドア１を示す縦断面図である。図２は、ドア１を示す横断面図である。図３は、ドア１の扉体２０の室外側からの外観を示す正面図である。図４は、扉体２０の室内側からの外観を示す正面図である。
【００１４】
図１および図２において、ドア１は、外壁開口部に固定される枠体１０と、この枠体１０に開閉自在に支持された扉体２０と、を備えている。
枠体１０は、上枠１１、下枠１２および左右の縦枠１３を備えている。
扉体２０は、一方（図２の左側）の縦枠１３に複数箇所の蝶番２１を介して回動支持され、蝶番２１の回動軸を中心にして室外側に開閉可能に構成されている。また、扉体２０の戸先側には、図示しない操作ハンドルや施錠装置が設けられている。そして、扉体２０は、四周枠組みされた枠材２２と、この枠材２２の室内外にそれぞれ固定された金属製の室内面材２４および室外面材２６と、室内面材２４と室外面材２６との間に充填された中間体としての樹脂製の断熱材２８とを備えている。
室内面材２４と室外面材２６は、それぞれ枠材２２および断熱材２８の室内側および室外側を覆って設けられ、折り曲げられた四周端縁が枠材２２に固定されている。
また、扉体２０には、図１〜図４に示すように、左右方向略中央において上下方向に並ぶ３箇所に扉開口としてのガラス開口３０が設けられている。このガラス開口３０を介して、室内外に光が透過できるようになっている。そして、ガラス開口３０は、室内面材２４に設けられた四角形の室内面材開口部３２と、室外面材２６に設けられた四角形の室外面材開口部３５と、これら室内面材開口部３２および室外面材開口部３５間（室内面材２４および室外面材２６対向面間）に設けられるパネルユニットとしてのガラスユニット４０と、を備えている。
【００１５】
次に、図５〜図７も参照して、詳しく説明する。
図５は、扉体２０の要部を拡大して示す横断面図である。図６は、扉体２０の要部を拡大して示す縦断面図である。図７は、扉体２０の室外枠部６０を示す斜視図である。
【００１６】
室内面材開口部３２は、室外面材開口部３５よりも大きい四角形状を有している。また、この室内面材開口部３２の上側および下側には、図６に示すように、キャップ３３が設けられている。
室外面材開口部３５には、図５および図６に示すように、室内側に延出する延出部３６が設けられている。この延出部３６は、室外面材開口部３５が室内側に折り曲げられた折曲部３７と、この折曲部３７を被覆するゴム製の被覆部材３８と、を備えている。
ガラスユニット４０は、四角枠状のパネル枠体５０と、このパネル枠体５０内に設けられた樹脂製のビード１５０と、パネル枠体５０内に設けられた軟質樹脂製の止水材１５２と、ビード１５０および止水材１５２を介してパネル枠体５０の内部に支持されたガラスパネル１５６（複層ガラス）と、を備えている。
パネル枠体５０は、室外側に設けられるアルミ形材製の室外枠部６０と、室内側に設けられる室内枠部１００と、室内枠部１００に取り付けられるカバー部材１４０と、を備えている。
室外枠部６０は、図５〜図７に示すように、一対のパネル縦部材としての室外縦部材６２と、一対のパネル横部材としての室外横部材８０と、を四周枠組みすることで四角枠状に形成されている。ここで、室外縦部材６２および室外横部材８０は、略等しい構成を有しているため、室外縦部材６２について詳細に説明し、室外横部材８０については、説明を簡略にする。
【００１７】
室外縦部材６２は、室外面材２６の裏面に接着されるパネル側接着部６４を備えている。このパネル側接着部６４は、パネル枠体５０の見付け方向内側に位置する室外縦内当接面６４Ａと、見付け方向外側に位置する室外縦外当接面６４Ｂと、室外縦内当接面６４Ａおよび室外縦外当接面６４Ｂの間に設けられた凹部を構成する室外縦凹部６４Ｃと、を備えている。
室外縦内当接面６４Ａおよび室外縦外当接面６４Ｂは、略同一面上に位置している。また、室外縦凹部６４Ｃは、室外縦内当接面６４Ａおよび室外縦外当接面６４Ｂよりも、室内側に凹んでいる。そして、室外縦内当接面６４Ａおよび室外縦凹部６４Ｃは、その長手方向（図７における上下方向）の両端部が切り欠かれることで、室外縦外当接面６４Ｂよりも長手方向において短く形成されている。
また、パネル側接着部６４には、室外縦外当接面６４Ｂと室外縦凹部６４Ｃとの連結部分から室内側に延びる縦中間部６６が設けられている。この縦中間部６６の外側面には、断面略Ｃ字状の略筒状に形成された縦筒部６８が設けられている。この縦筒部６８には、パネル枠体５０の外側から内側に向けて図示しない枠組みビスが挿通される枠組みビス孔６８Ａが設けられている。
さらに、縦中間部６６の室内側には、断面略コ字状の縦先端部７０が設けられている。この縦先端部７０には、室内側から室外側に向けて固着部材としての室内枠部取付ビス７２が螺合されるビス螺合部７０Ａが設けられている。また、縦先端部７０における略コ字状の一対の板状部分の先端には、パネル枠体５０の内側および外側にそれぞれ延びる鍔部７４が設けられている。
【００１８】
室外横部材８０は、パネル側接着部８２を備えている。このパネル側接着部８２は、パネル枠体５０の見付け方向内側に位置する室外横内当接面８２Ａと、見付け方向外側に位置する室外横外当接面８２Ｂと、凹部を構成する室外横凹部８２Ｃと、を備えている。
室外横内当接面８２Ａおよび室外横外当接面８２Ｂは、略同一面上に位置している。室外横凹部８２Ｃは、室外横内当接面８２Ａおよび室外横外当接面８２Ｂよりも、室内側に凹んでいる。そして、室外横内当接面８２Ａは、その長手方向（図７における左右方向）の両端部が切り欠かれることで、室外横凹部８２Ｃおよび室外横外当接面８２Ｂよりも長手方向において短く形成されている。
また、パネル側接着部８２には、横中間部８４が設けられている。この横中間部８４には、断面略Ｃ字状の略筒状に形成された横筒部８６が設けられている。この横筒部８６の内部には、枠組みビスが螺合される。
さらに、横中間部８４の室内側には、断面略コ字状の横先端部８７と鍔部８８とが設けられている。
【００１９】
そして、室外縦部材６２と室外横部材８０とは、枠組みビス孔６８Ａに挿通された枠組みビスが横筒部８６の内部に螺合されることで、四角枠状の室外枠部６０が形成される。そして、室外縦内当接面６４Ａと室外横内当接面８２Ａとが、室外枠部６０の全周にわたって連続的に設けられることで、第１の当接部としての室外内当接面９０が形成される。また、室外縦外当接面６４Ｂと室外横外当接面８２Ｂとにより、室外枠部６０の全周にわたる第２の当接部としての室外外当接面９２が形成される。さらに、室外縦凹部６４Ｃと室外横凹部８２Ｃとにより、室外枠部６０の全周にわたる凹部としての室外凹部９４が形成される。
また、室外凹部９４内には、室外凹部９４の深さ寸法よりも大きい厚さ寸法を有し、四角枠状に加工された接着部材として、両面に接着性を有する両面テープ９６が設けられている。そして、この両面テープ９６により、室外面材２６と室外枠部６０とが接着される。
【００２０】
室内枠部１００は、図４に示すように、一対の室内縦部材１０２と一対の室内横部材１２０とを四周枠組みすることで、室外枠部６０と略等しい四角枠状に形成されている。ここで、室内縦部材１０２および室内横部材１２０は、略等しい構成を有しているため、室内縦部材１０２について詳細に説明し、室内横部材１２０については、説明を簡略にする。
室内縦部材１０２は、図５に示すように室内側に設けられる室内縦基部１０４を備えている。この室内縦基部１０４には、長手方向に沿って室外側に凹んだブロック取付部１０６が設けられている。このブロック取付部１０６の長手方向の両端側（室内縦部材１０２の上下方向の両端側）には、断熱性を有する樹脂製のブロック１０８が設けられている。また、室内縦基部１０４の室外側には、ビード１５０が取り付けられている。
室内横部材１２０は、図６に示すように室内横基部１２２を備えている。また、室内横基部１２２には、室外側に向けて突出する突出部１２４が設けられている。さらに、室内横基部１２２の室外側には、ビード１５０が設けられている。
そして、室内枠部１００は、室内縦部材１０２と室内横部材１２０とが、例えば図示しないビスなどにより固定されることで四角枠状に形成される。さらに、室内枠部１００は、室外枠部６０の鍔部７４と、室内縦部材１０２のブロック取付部１０６との間に設けられたブロック１０８を介して、室外枠部６０に着脱自在に固定される。具体的には、室内枠部１００は、ブロック取付部１０６およびブロック１０８内に挿通された室内枠部取付ビス７２が、ビス螺合部７０Ａに螺合されることで、室外枠部６０に固定される。
【００２１】
カバー部材１４０は、図５に示すように、室内枠部１００の室内縦部材１０２に着脱可能に取り付けられる。
止水材１５２は、室外枠部６０の室内側に四周連続して設けられている。具体的には、止水材１５２は、室外縦凹部６４Ｃおよび室外横凹部８２Ｃの裏面に設けられている。
ガラスパネル１５６は、室内側の周縁でビード１５０を圧縮し、室外側の周縁で止水材１５２を圧縮する状態で設けられている。また、ガラスパネル１５６は、室外面材開口部３５の被覆部材３８との当接により、室外面材２６に対する見込み方向の位置決めがなされている。
【００２２】
次に、ドア１を構成する扉体２０の組み立て手順の一例を説明する。
まず、室外面材２６の折曲部３７に、被覆部材３８を取り付ける。そして、この室外面材２６を枠材２２に取り付ける。この後、室外面材２６の室内面側に断熱材２８を設置して、枠材２２に室内面材２４を取り付ける。
また、室外枠部６０を組み立てて、室外内当接面９０と室外外当接面９２と室外凹部９４とを形成する。そして、室外凹部９４内に両面テープ９６を貼り付けるとともに、室外凹部９４の裏面に止水材１５２を貼り付ける。さらに、室内枠部１００を組み立て、ビード１５０を取り付けるとともに、ブロック取付部１０６に室内枠部取付ビス７２およびブロック１０８を取り付ける。
次に、室外枠部６０の内縁（室外内当接面９０側の縁）と被覆部材３８とを当接させるとともに、室外内当接面９０および室外外当接面９２と室外面材２６の裏面とを当接させて両面テープ９６をつぶすことで、両面テープ９６を介して室外枠部６０と室外面材２６とを接着する。この室外枠部６０と被覆部材３８との当接により、室外枠部６０は室外面材２６に対する見付け方向の位置決めがなされる。また、室外内当接面９０および室外外当接面９２の２箇所が室外面材２６に当接することで、室外枠部６０は室外面材２６に対する見込み方向の位置決めがなされる。
【００２３】
この後、ガラスパネル１５６を止水材１５２に当接する状態で設置する。そして、ビード１５０をガラスパネル１５６に当接させ、ブロック１０８を室外縦部材６２の鍔部７４に当接させ、室内枠部取付ビス７２をビス螺合部７０Ａに螺合させることで、室内枠部１００を室外枠部６０に取り付ける。この螺合により、ビード１５０を介してガラスパネル１５６が室外側に押し付けられる。そして、この押し付けにより、ガラスパネル１５６は止水材１５２を圧縮し、被覆部材３８との当接により見込み方向の位置決めがなされる。
そして、カバー部材１４０をブロック取付部１０６の開口を閉塞するように、室内縦部材１０２に取り付ける。
以上により、扉体２０の組み立てが完了する。
【００２４】
このような第１実施形態によれば、以下のような効果がある。
（１）パネル枠体５０の室外側を構成する室外枠部６０に、室外内当接面９０および室外外当接面９２と、これらの間に設けられた室外凹部９４と、を設けている。
このため、室外内当接面９０および室外外当接面９２による２箇所の当接により、室外面材２６と室外枠部６０との見込み方向の位置決めをしつつ、室外凹部９４に設けられた両面テープ９６により、室外面材２６と、室外枠部６０とを接着することができる。したがって、両面テープ９６のつぶし代を一定にすることができ、室外面材２６とガラスユニット４０とを確実に接着できる。
さらに、室外側から室外面材２６をガラスユニット４０に固着する構成を利用する必要がなく、室外側からのドア１の見た目をすっきりさせることができる。
【００２５】
（２）室外内当接面９０と室外外当接面９２と室外凹部９４とを室外枠部６０の全周にわたって設けている。
このため、室外枠部６０と室外面材２６を確実に接着できる。また、両面テープ９６を全周にわたって連続させることができるため、気密性や止水性を向上させることができる。
【００２６】
（３）室外縦部材６２の室外縦内当接面６４Ａおよび室外縦凹部６４Ｃの長手方向の寸法を、室外縦外当接面６４Ｂの長手方向の寸法よりも短く形成している。さらに、室外横部材８０の室外横内当接面８２Ａの長手方向の寸法を、室外横凹部８２Ｃおよび室外横外当接面８２Ｂの長手方向の寸法よりも短く形成している。
このため、室外縦部材６２と室外横部材８０とを枠組みするだけの簡単な方法で、室外枠部６０の全周にわたって室外内当接面９０と、室外外当接面９２と、室外凹部９４と、を設けることができる。したがって、上記（２）のような効果を有するドア１を、容易に製造することができる。
【００２７】
（４）室外面材開口部３５に、パネル枠体５０の見付け方向内側端縁と当接することにより、このパネル枠体５０を室外面材２６に対して位置決めする延出部３６を設けている。
このため、パネル枠体５０の見付け方向の位置決めをできる。さらに、パネル枠体５０の自重による接着性能の低下を防止できるとともに、パネル枠体５０の落下を防止できる。また、火災時に延出部３６でパネル枠体５０が支持されるので、パネル枠体５０が落下することがなく、十分な防火性能を確保できる。また、室内横部材１２０に突出部１２４を設けているため、この突出部１２４でもパネル枠体５０を支持することができ、より確実にパネル枠体５０の落下を防止できる。
【００２８】
（５）延出部３６を、室外面材開口部３５を折り曲げた折曲部３７と、この折曲部３７を被覆する被覆部材３８とで構成している。さらに、室外縦凹部６４Ｃおよび室外横凹部８２Ｃの裏面とガラスパネル１５６との間に、止水材１５２を設けている。
このため、室外面材２６を折り曲げるだけの簡単な方法で、延出部３６の基礎となる折曲部３７を設けることができる。さらには、被覆部材３８とガラスパネル１５６とを当接させることで、ガラスパネル１５６の傷付きを防止できる上、被覆部材３８を一次的な止水材として機能させることができる。また、室外側からは、室外面材２６、被覆部材３８、ガラスパネル１５６のみが見えることになり、ドア１の見た目をすっきりさせることができる。さらに、意匠性が高い被覆部材３８を用いることで、室外から見えない止水材１５２で十分な止水性能を確保しつつ、ドア１の意匠性を高めることができる。そして、室外凹部９４を目印にして止水材１５２を設けることができ、作業性を向上できる。
【００２９】
（６）パネル枠体５０を、室外枠部６０と、この室外枠部６０に取り付けられる室内枠部１００と、室外枠部６０に室内枠部１００を室内側から着脱自在に取り付ける室内枠部取付ビス７２とで構成している。
このため、室内枠部１００を必要に応じて取り外すことにより、ガラスパネル１５６を容易に交換できる。
【００３０】
［第２実施形態］
次に、図８に基づいて、本発明の第２実施形態のドアについて説明する。
この第２実施形態は、扉体２００の形態が相違し、他の構成は第１実施形態と略同一である。なお、第１実施形態の構成と同様の機能を有する構成については、同一の名称を付して説明を簡略にする。
図８は、扉体２００の要部を拡大して示す横断面図である。
【００３１】
図８に示すように、扉体２００は、図示しない枠材と室内面材２０２と室外面材２６と断熱材２８とを備えている。扉体２００の扉開口としてのガラス開口２０４には、室内面材開口部２０６と室外面材開口部３５とパネルユニットとしてのガラスユニット２１０とが設けられている。
室内面材開口部２０６には、室外側に折り曲げられた延出部２０８が設けられている。
ガラスユニット２１０は、パネル枠体２２０とビード２６６と止水材１５２とガラスパネル１５６とを備えている。
パネル枠体２２０は、室外枠部２３０と室内枠部２５０とを備えている。
【００３２】
室外枠部２３０は、一対のパネル縦部材としての室外縦部材２３２と、この室外縦部材２３２と同様の構成を有する図示しない一対のパネル横部材としての室外横部材と、を備えている。
室外縦部材２３２は、室外縦内当接面６４Ａ、室外縦外当接面６４Ｂ、および、室外縦凹部６４Ｃを有するパネル側接着部６４を備えている。
また、室外横部材は、室外縦内当接面６４Ａ、室外縦外当接面６４Ｂ、および、室外縦凹部６４Ｃと同様の構成を有する、室外横内当接面、室外横外当接面、および、室外横縦凹部を少なくとも備えている。
室内枠部２５０は、一対のパネル縦部材としての室内縦部材２５２と、この室内縦部材２５２と同様の構成を有する図示しない一対のパネル横部材としての室内横部材と、を備えている。
室内縦部材２５２は、室内面材２０２に接着され、パネル側接着部６４と同様の構成を有するパネル側接着部２５４を備えている。すなわち、パネル側接着部２５４は、パネル枠体２２０の内側に位置する室内縦内当接面２５４Ａと、外側に位置する室内縦外当接面２５４Ｂと、室内縦内当接面２５４Ａおよび室内縦外当接面２５４Ｂの間に設けられた室内縦凹部２５４Ｃと、を備えている。
また、パネル側接着部２５４の室外側には、ビード２６６が設けられている。さらに、パネル側接着部２５４には、室外側に延びる縦中間部２５８が設けられている。また、室内横部材は、室内縦内当接面２５４Ａ、室内縦外当接面２５４Ｂ、および、室内縦凹部２５４Ｃと同様の構成を有する、室内横内当接面、室内横外当接面、および、室内横凹部を少なくとも有している。
さらに、室外縦部材２３２と室内縦部材２５２は断熱部材２３４で一体的に連結され、室外横部材と室内横部材も同様に断熱部材で一体的に連結される。
【００３３】
そして、断熱部材２３４で連結された縦部材（室外縦部材２３２、室内縦部材２５２）と、横部材（室外横部材、室内横部材）とを四周枠組みすることで、室外縦内当接面６４Ａと室外横内当接面、室外縦外当接面６４Ｂと室外横外当接面、室外縦凹部６４Ｃと室外横凹部により、室外枠部２３０の全周にそれぞれわたる、第１の当接部としての室外内当接面２６０、第２の当接部としての室外外当接面２６２、凹部としての室外凹部２６４が形成され、室内縦内当接面２５４Ａと室内横内当接面、室内縦外当接面２５４Ｂと室内横外当接面、室内縦凹部２５４Ｃと室内横凹部により、室内枠部２５０の全周にそれぞれわたる、第１の当接部としての室内内当接面２７０、第２の当接部としての室内外当接面２７２、凹部としての室内凹部２７４が形成される。
そして、室外凹部２６４および室内凹部２７４内には、これらの深さ寸法よりも大きい厚さ寸法を有し、四角枠状に加工された両面テープ９６が設けられている。そして、この両面テープ９６により、室外面材２６と室外枠部２３０、室内面材２０２と室内枠部２５０とが接着される。
【００３４】
そして、扉体２００を組み立てる際には、ガラスパネル１５６の四周を囲むようにして縦部材（室外縦部材２３２、室内縦部材２５２）と横部材（室外横部材、室内横部材）とを四周枠組みし、室外枠部２３０を第１実施形態の室外枠部６０と同様に両面テープ９６を介して室外面材２６に接着させる。また、室内枠部２５０の内縁と延出部２０８とを当接させるとともに、室内内当接面２７０および室内外当接面２７２と室内面材２０２の裏面とを当接させ、両面テープ９６をつぶすことで、両面テープ９６を介して室内枠部２５０と室内面材２０２とを接着する。この室内枠部２５０と延出部２０８との当接により、室内枠部２５０は見付け方向の位置決めがなされる。また、室内内当接面２７０および室内外当接面２７２の２箇所が室内面材２０２に当接することで、室内枠部２５０は見込み方向の位置決めがなされる。
【００３５】
このような第２実施形態によれば、第１実施形態の（１）〜（５）と同様の効果に加えて、以下のような効果がある。
（７）パネル枠体２２０の室内側を構成する室内枠部２５０に、室内内当接面２７０および室内外当接面２７２と、これらの間に設けられた室内凹部２７４と、を設けている。そして、室内枠部２５０と室外枠部２３０との間でこれらを連結する断熱部材２３４を設けている。
このため、室外枠部２３０と同様の作用により、両面テープ９６のつぶし代を一定にすることができ、室内面材２０２とガラスユニット２１０とをより確実に接着できる。
さらに、室内側から室内面材２０２を室内枠部２５０に固着する構成を利用しないので、室内側および室外側からの見た目をすっきりさせることができる。
【００３６】
なお、本発明は、前記第１，第２実施形態に限定されるものではなく、本発明の目的を達成できる他の構成等を含み、以下に示すような変形等も本発明に含まれる。
例えば、第１実施形態においては、ドア１を例示して説明したが、本発明のドアとしては、回動開閉可能に設けられたものでもよく、またスライド開閉可能に設けられたものでもよい。
また、第１実施形態では、本発明の当接部として、平面状の室外内当接面９０などを例示したが、曲面状などとしてもよい。また、室外内当接面９０、室外外当接面９２、および、室外凹部９４を室外枠部６０の全周にわたって連続的に設けたが、断続的に設けてもよいし、四角枠状の一辺に対応する部分のみに設けてもよい。
また、室外縦部材６２および室外横部材８０を枠組みすることで室外枠部６０を形成したが、打ち抜き成型などで形成された四角枠状の部材を室外枠部６０として用いてもよい。
さらには、延出部３６を設けることでパネル枠体５０を室外面材２６に対して位置決めしたが、延出部３６を設けずに枠材２２に架け渡した横材などでパネル枠体５０を支持する（位置決めする）構成としてもよい。
また、被覆部材３８をガラスパネル１５６の表面に当接させずに近接させてもよい。
【００３７】
また、第１実施形態では、３箇所のガラス開口３０を設けたが、ガラス開口３０は１箇所や２箇所でもよく、また４箇所以上であってもよい。
さらに、第１実施形態では、パネルとしてガラスパネル１５６を用いたがこれに限らず、プラスチックパネル、金属パネル、木パネル等、他の材質でもよい。そして、パネルは透光性を有していても有さなくてもどちらでも構わない。
そして、上述の各構成を第２実施形態に適用してもよい。
【００３８】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００３９】
【図１】本発明の第１実施形態に係るドアを示す縦断面図である。
【図２】前記ドアを示す横断面図である。
【図３】前記ドアの扉体の室外側からの外観を示す正面図である。
【図４】前記扉体の室内側からの外観を示す正面図である。
【図５】前記扉体の要部を拡大して示す横断面図である。
【図６】前記扉体の要部を拡大して示す縦断面図である。
【図７】前記扉体の室外枠部を示す斜視図である。
【図８】本発明の第２実施形態に係る扉体の要部を拡大して示す横断面図である。
【符号の説明】
【００４０】
１…ドア、２０，２００…扉体、２４，２０２…室内面材、２６…室外面材、３０，２０４…ガラス開口（扉開口）、３２，２０６…室内面材開口部、３５…室外面材開口部、３６，２０８…延出部、３７…折曲部、３８…被覆部材、４０，２１０…ガラスユニット（パネルユニット）、５０，２２０…パネル枠体、６０，２３０…室外枠部、６２，２３２…室外縦部材（パネル縦部材）、７２…室内枠部取付ビス（固着部材）、８０…室外横部材（パネル横部材）、９０，２６０…室外内当接面（第１の当接部）、９２，２６２…室外外当接面（第２の当接部）、９４，２６４…室外凹部（凹部）、９６…両面テープ（接着部材）、１００，２５０…室内枠部、１５６…ガラスパネル、２３４…断熱部材（固着部材）、２５２…室内縦部材（パネル縦部材）、２７０…室内内当接面（当接部）、２７２…室内外当接面（当接部）、２７４…室内凹部（凹部）。
【図１】
2009144389.tif 000003
【図２】
2009144389.tif 000004
【図３】
2009144389.tif 000005
【図４】
2009144389.tif 000006
【図５】
2009144389.tif 000007
【図６】
2009144389.tif 000008
【図７】
2009144389.tif 000009
【図８】
2009144389.tif 000010